(57)【特許請求の範囲】
【請求項１】
避難場所に至る経路に、当該経路と交差する方向に指向方向を設定して配置した複数の指向性スピーカと、
火災が発生した場合に、前記避難場所へ誘導する所定の避難誘導放送を前記指向性スピーカから出力させる放送装置と、
前記避難場所に至る経路に沿って配置した複数の表示装置と、
火災が発生した場合に、前記避難場所の方向を示す動きのある所定の誘導パターンを表示するように前記複数の表示装置を制御する表示制御装置と、
を備え、
前記指向性スピーカは、前記避難誘導放送を、前記経路と交差する方向の限られた範囲に伝播させて、避難者が当該範囲を横切る場合にのみ明瞭に聞こえるような音量で出力することを特徴とする避難誘導システム。
【請求項２】
請求項１記載の避難誘導システムに於いて、前記指向性スピーカは、音響振動を平面波として出力する平面波スピーカであることを特徴とする避難誘導システム。
【請求項３】
請求項１記載の避難誘導システムに於いて、前記放送装置は、前記指向性スピーカから前記避難場所までの距離を示す避難誘導放送を繰り返し出力させることを特徴とする避難誘導システム。
【請求項４】
請求項３記載の避難誘導システムに於いて、前記放送装置は、廊下部分に設置した前記指向性スピーカから、避難口又は避難階段の言葉を含む前記避難場所までの距離を示す避難誘導放送を出力し、非常階段に設置した前記指向性スピーカから、避難階の言葉を含む前記避難場所までの距離を示す避難誘導放送を出力することを特徴とする避難誘導システム。
【請求項５】
請求項１記載の避難誘導システムに於いて、前記放送装置は、
前記指向性スピーカ毎に設けられ、当該指向性スピーカの設置場所に対応した所定の避難誘導放送情報を記憶し、外部からの制御信号により前記記憶した避難誘導放送情報の再生出力と再生停止を行う放送再生装置と、
前記放送再生装置に通信接続して制御する放送制御装置と、
を備えたことを特徴とする避難誘導システム。
【請求項６】
請求項１記載の避難誘導システムに於いて、前記表示制御装置は、前記複数の表示装置を一斉に点灯した状態で、避難場所の方向に向けて順番に点滅する制御を繰り返し、避難方向に向けて光点が連続する光のラインを表示した状態で暗点が避難方向に走行するように見える誘導パターンを表示することを特徴とする避難誘導システム。
【請求項７】
請求項１記載の避難誘導システムに於いて、前記表示装置は表示灯を備え、前記表示灯を点灯する場合、所定の発光量で所定時間点灯駆動して閃光を出力した後に、前記発光量より低い所定光量の点灯駆動を維持することを特徴とする避難誘導システム。
【請求項８】
請求項１記載の避難誘導システムに於いて、前記放送装置は、非常放送設備から女声メッセージによる感知器発報放送を示す放送移報信号を受信した場合、前記指向性スピーカから男声メッセージによる前記避難誘導放送を出力し、前記非常放送設備から男声メッセージによる火災放送を示す放送移報信号を受信した場合、前記指向性スピーカから女声メッセージによる前記避難誘導放送を出力することを特徴とする避難誘導システム。
【発明の詳細な説明】
【技術分野】
【０００１】
本発明は、避難誘導放送により避難者を安全な避難口等に避難誘導する避難誘導システムに関する。
【背景技術】
【０００２】
従来、火災報知設備と共に設置される一般的な避難誘導装置としては、常時点灯して避難を誘導する消防法で決められた誘導灯の他に、非常放送設備や光走行式避難誘導システムが知られている。
【０００３】
非常放送設備は、自動火災報知設備と連動し、火災が発生した場合に、建物内の廊下などに設置したスピーカから避難誘導のガイダンスを含む一斉非常放送を流し、速やかな避難を促すようにている。
【０００４】
また光走行式避難誘導システムは、通路の床面あるいは壁面下部に連続的に光源を配列して逐次点滅を行い、あたかも光が走行しているように視認させて、その光の進む方向に沿って避難すれば避難口に至ることができるようにしている。
【先行技術文献】
【特許文献】
【０００５】
【特許文献１】特開２００４−３１０６２９号公報
【特許文献２】特開２００２−２５３６８８号公報
【発明の概要】
【発明が解決しようとする課題】
【０００６】
しかしながら、従来の非常放送設備は、無指向性のスピーカを使用し、一斉非常放送として避難誘導を行うために大音量で流しており、場所によっては最短距離にある避難口へのガイダンス機能は十分に果たせない恐れもある。
【０００７】
また光走行式避難誘導システムにあっては、通路の床面に配列した光源を逐次点滅して、光が走行しているように視認させているが、見る位置や人によっては単に点滅しているとしか見えないこともあり、避難口の方向を示していることが、火災の発生により混乱した中では十分に把握されない問題がある。また火災時に発生する煙の層によって光源を見失う可能性もある。更に光走行式避難誘導システムは目の不自由な人には役立たないという問題もある。
【０００８】
この問題を解決するため本願出願人にあっては、複数の指向性スピーカを、避難口などの避難場所に至る経路（通路）に沿って当該経路を横切る方向に指向方向を設定して所定間隔に配置し、火災が発生した場合に、放送装置により避難場所までの方向や距離を示す避難誘導放送を指向性スピーカから出力させるようにした避難誘導システムを提案している。
【０００９】
この避難誘導システムによれば、避難者が指向性スピーカの前を通過する際に、避難誘導放送を聞いて現在位置から避難口までの方向や距離を知ることができ、火災発生により混乱した状況にあっても、避難場所を確認できることで、落ち着いた避難行動を可能とする。
【００１０】
しかしながら、火災が発生した場合に、その場所に不慣れな人にあっては、避難口の場所を知らないため、放送の内容によっては避難口の方向とは反対方向に避難する可能性がある。この場合、指向性スピーカの前を通って避難誘導放送を聞いても、避難口へ向かっていけないため、避難口までの距離を誤って認識する可能性がある。また避難口に向かっていない場合は、指向性スピーカの前を通過すると、避難口までの距離が一つ前の指向性スピーカで聞いた距離より長くなっており、注意していれば逆方向に避難していることに気づくが、混乱した中ではとっさには気づかず、おかしいと気づいても、方向を判断する指標がないために、逆方向に戻る行動とることが困難で、混乱に拍車をかける恐れがある。
【００１１】
本発明は、避難誘導放送により避難口に向かう避難者に避難口までの方向を示す情報を適確に伝えて迅速且つ安全な避難行動を可能とする避難誘導システムを提供することを目的とする。
【課題を解決するための手段】
【００１２】
（避難誘導システム）
本発明の避難誘導システムは、
避難場所（避難口）に至る経路に、当該経路と交差する方向に指向方向を設定して配置した複数の指向性スピーカと、
火災が発生した場合に、避難場所へ誘導する所定の避難誘導放送を指向性スピーカから出力させる放送装置と、
避難場所に至る経路に沿って配置した複数の表示装置と、
火災が発生した場合に、避難場所の方向を示す動きのある所定の誘導パターンを表示するように複数の表示装置を制御する表示制御装置と、
を備え、
指向性スピーカは、避難誘導放送を、経路と交差する方向の限られた範囲に伝播させて、避難者が当該範囲を横切る場合にのみ明瞭に聞こえるような音量で出力することを特徴とする。
【００１３】
（平面波スピーカ）
指向性スピーカは、音響振動を平面波として出力する平面波スピーカを備える。
（避難口までの距離）
放送装置は、指向性スピーカから避難場所までの距離を示す避難誘導放送を繰り返し出力させる。
【００１４】
（避難誘導放送の内容）
放送装置は、廊下部分に設置した指向性スピーカから、避難口又は避難階段の言葉を含む避難場所までの距離を示す避難誘導放送を出力し、非常階段に設置した指向性スピーカから、避難階の言葉を含む避難場所までの距離を示す避難誘導放送を出力する。
【００１５】
（放送装置の構成）
放送装置は、
指向性スピーカ毎に設けられ、当該指向性スピーカの設置場所に対応した所定の避難誘導放送情報を記憶し、外部からの制御信号により記憶した避難誘導放送情報の再生出力と再生停止を行う放送再生装置と、
放送再生装置に通信接続して制御する放送制御装置と、
を備える。
【００１６】
（暗点走行）
表示制御装置は、複数の表示装置を一斉に点灯した状態で、避難場所の方向に向けて順番に点滅する制御を繰り返し、避難方向に向けて光点が連続する光のラインを表示した状態で暗点が避難方向に走行するように見える誘導パターンを表示する。
【００１７】
（点灯閃光表示）
表示装置は表示灯を備え、表示灯を点灯する場合、所定の発光量で所定時間点灯駆動して閃光を出力した後に、先の発光量より低い所定光量の点灯駆動を維持する。
【００１８】
（非常放送設備との連携）
放送装置は、非常放送設備から女声メッセージによる感知器発報放送を示す放送移報信号を受信した場合、指向性スピーカから男声メッセージによる避難誘導放送を出力し、非常放送設備から男声メッセージによる火災放送を示す放送移報信号を受信した場合、指向性スピーカから女声メッセージによる避難誘導放送を出力する。
【発明の効果】
【００１９】
（基本的な効果）
本発明の避難誘導システムによれば、指向性スピーカを、避難口などの避難場所に至る経路（通路）に、当該経路を横切る方向に指向方向を設定して配置すると共に、当該経路に沿って複数の表示装置を配置し、火災が発生した場合に、放送装置により避難場所へ誘導する所定の避難誘導放送を指向性スピーカから出力させると共に、表示制御装置により避難場所の方向を示す動きのある所定の誘導パターンを表示するように複数の表示装置を制御するようにしたため、避難者は、指向性スピーカの前を通過する際に、避難誘導放送を聞き、例えば現在位置から避難場所までの距離を知ることができ、また、経路に沿って配置した複数の表示装置の避難方向に向かって光が走行したり、避難方向に向かって光の帯が伸びたりする避難方向を示す動きのある誘導パターンの表示を見て、避難場所に向かっていることを確認でき、避難者にとって不慣れな場所で避難場所が全く分からない状況にあっても、避難場所までの距離と方向が確認できることで、落ち着いた避難行動を速やかにとることを可能とする。
【００２０】
また、放送と表示の両方で避難誘導するため、視覚に障害のある人や聴覚に障害のある人であっても、状況を判断して適確に避難することを可能とする。
【００２１】
また、放送装置は、廊下部分に設置した指向性スピーカからの避難誘導放送に、「避難口」又は「避難階段」の言葉を必ず含ませることで、避難口又は避難階段の近くに到達しつつあることを避難者に明快に理解させることができる。
【００２２】
また、放送装置は、非常階段に設置した指向性スピーカからの避難誘導放送に、「避難階」の言葉を必ず含ませることで、避難口の近くに到達したことを避難者に明快に理解させることができる。
【００２３】
（指向性スピーカによる効果）
また指向性スピーカは、音響振動を平面波として出力する平面波スピーカであり、放送音は従来のスピーカによる球面波のように拡散せずに、通路を横切る方向の限られた範囲に伝播し、そこを横切る場合に明瞭に放送音を聞くことができ、通路に沿って所定間隔で指向性スピーカを配置していても、相互に干渉することなく、内容の異なる放送音を明瞭に聞くことができる。また音波が拡散せずに直進するため、従来の避難誘導放送のように音量を大きくしなくとも、周囲の騒音にも影響されることなく、放送音を明瞭に聞くことができる。
【００２４】
また火災による煙が広がってきた場合には、視界が遮られて避難方向を示す誘導パターンは見えづらくなるが、指向性スピーカによる避難誘導放送は聞くことができ、緊迫した状況の中にあっても、避難場所までの距離を知って適切な避難行動をとることを可能とする。
【００２５】
（動きのある誘導パターンの表示による効果）
また避難場所に向かう経路に沿って配置した複数の表示装置の制御により、避難方向に走行する光点、避難方向に伸びる光の帯、一斉点灯による光ラインと光点走行又は避難方向に伸びる光の帯との組み合わせ、光ラインにおける暗点の走行、避難方向に縮む光の帯といった避難方向を示す動きのある誘導パターン（動的な誘導パターン）を表示するため、単に避難方向を文字や矢印などの表示で示す動きのない静的な誘導パターンの表示に比べ、避難者に避難方向を強く印象づけることができ、動きのある誘導パターンの表示を見て避難者は直感的に避難方向を捉え、指向性音声再生装置による避難誘導放送と相俟って避難経路とその方向を見失うことなく、迅速且つ安全に避難することを可能とする。
【００２６】
（非常放送設備との連携）
放送装置は、非常放送設備から女声メッセージによる感知器発報放送を示す放送移報信号を受信した場合、指向性スピーカから男声メッセージによる避難誘導放送を出力し、非常放送設備から男声メッセージによる火災放送を示す放送移報信号を受信した場合、指向性スピーカから女声メッセージによる避難誘導放送を出力するようにしたため、非常放送設備から女声による感知器発報放送が行われている場合は、指向性スピーカから男声による避難誘導放送が行われ、また非常放送設備から男声による感知器発報放送が行われている場合は、指向性スピーカから女声による避難誘導放送が行われ、非常放送設備により感知器発報放送または火災放送が行われていても、避難者は指向性スピーカからの避難誘導放送を明瞭に聞き分けることができる。
【図面の簡単な説明】
【００２７】
【図１】避難誘導システムの概略構成を示した説明図
【図２】避難経路の指向性スピーカと表示装置の配置を示した説明図
【図３】センタ側に設置する放送制御装置の概略構成を示したブロック図
【図４】指向性スピーカ毎に設置する放送再生装置の概略構成を示したブロック図
【図５】センタ側に設置する表示制御装置の概略構成を示したブロック図
【図６】避難経路に設置する表示装置の概略構成を示したブロック図
【図７】避難誘導の放送制御と表示制御の例を示した説明図
【図８】避難経路の指向性スピーカと表示装置の他の配置を示した説明図
【図９】非常放送設備と連携する避難誘導システムの他の実施形態を示した説明図
【発明を実施するための形態】
【００２８】
［避難誘導システムの構成］
図１は本発明による避難誘導システムの概略構成を示した説明図である。図１において、本発明の避難誘導システムは、放送制御装置１０、放送再生装置１２、複数の指向性スピーカ１４、表示制御装置１００及び複数の表示装置１０２で構成する。
【００２９】
（放送による避難誘導）
放送制御装置１０、放送再生装置１２及び複数の指向性スピーカ１４は、放送による避難誘導を行う。
【００３０】
放送再生装置１２は、指向性スピーカ１４毎に設けられ、各指向性スピーカ１４の設置場所に対応した所定の避難誘導放送情報を記憶し、放送制御装置１０からの制御信号により、予め記憶した避難誘導放送情報の再生出力と再生停止を行う。放送制御装置１０は放送再生装置１２に通信接続して制御する放送制御を行う。この放送制御装置１０と放送再生装置１２により請求項の放送装置を構成する。
【００３１】
放送制御装置１０は防災センタなどに設置する。放送制御装置１０は伝送路１５により自動火災報知設備１６の受信機などと接続し、火災発生場所を特定した火災信号を受信する。放送制御装置１０からは伝送路１１が引き出され、伝送路１１に避難誘導対象となる例えばビルの、各階の避難経路の通路側に配置した複数の放送再生装置１２を接続し、通信接続により信号を送受信する。
【００３２】
放送再生装置１２には固有のアドレスを予め設定しており、放送制御装置１０とのアドレス指定の伝送信号により放送開始・停止制御などが行われる。また放送再生装置１２には指向性スピーカ１４を接続する。指向性スピーカ１４は避難経路となる通路に沿って所定の間隔で配置し、その指向方向を、避難者が確実に放送を聞き取れるように通路を横切る方向に設定している。
【００３３】
（指向性スピーカの構成）
指向性スピーカ１４は、音響振動を平面波として出力する平面波スピーカであり、例えばスピーカ本体の厚みが１０ミリメートル程度のフラットパネルスピーカとして知られている。平面波スピーカは例えばフラットな振動板の背後に複数のボイスコイルを配置して音響信号により駆動することで、振動板を平行移動し、平面波振動を発生して前方へ向けて高い指向性により音を伝播する。
【００３４】
このような平面波スピーカを用いた指向性スピーカ１４を避難経路となる通路を横切る方向に、その指向方向を向けて配置して避難誘導放送を出力することで、指向性スピーカ１４の前を避難者が横切る場合に、その放送内容を明瞭に聞きとることができる。隣接している指向性スピーカからの音は、それぞれの指向性が高いことから、相互に聞こえることはなく、避難者は、通過する位置の指向性スピーカ１４からの放送のみを明瞭に聞きとることができる。
【００３５】
また指向性スピーカ１４の高い指向性により、避難行動に伴い騒音が高くなっている状況でも、騒音に影響されることなく、明瞭に放送内容を聞きとることができる。
【００３６】
（光による避難誘導）
表示制御装置１００及び表示装置１０２は光による避難誘導を行う。表示装置１０２は避難場所に至る経路に沿って配置する。表示制御装置１００は、火災が発生した場合に、避難場所の方向を示す動きを持たせた所定の誘導パターンを表示するように複数の表示装置１０２を制御する。
【００３７】
表示制御装置１００は放送制御装置１０と同様に防災センタなどに設置する。表示制御装置１００は、放送制御装置１０と同様に、伝送路１５により自動火災報知設備１６の受信機などと接続し、火災発生場所を特定した火災信号を受信する。
【００３８】
表示制御装置１００からは伝送路１０１が引き出され、伝送路１０１に複数の表示装置１０２を接続している。本実施形態の表示装置１０２はフラッシュランプとして知られた強力な光を出力する閃光灯を備えている。伝送路１０１に接続した表示装置１０２には固有のアドレスを予め割当てており、表示制御装置１００からのアドレスを付与した伝送信号により表示駆動開始・停止制御などが行われる。
【００３９】
（指向性スピーカと表示装置の配置）
図２は避難口に通ずる通路における指向性スピーカと表示装置の配置の一例を示した説明図である。
【００４０】
図２において、通路Ｌの突き当たり左側には避難口３２として例えば非常扉が設けられ、非常扉を開くと非常階段などの避難場所にでることができる。
【００４１】
避難口３２に向かう通路Ｌの左側壁面の所定高さの位置には、所定間隔、例えば５メートル間隔で指向性スピーカ１４を配置し、指向性スピーカ１４の指向方向を、点線の矢印で示すよう、通路Ｌの奥行き方向を横切る方向に向くように配置している。
【００４２】
また通路Ｌの天井面には、避難口３２を設けた通路Ｌの奥行き方向（避難方向）に向けて一直線となるように複数の表示装置１０２を所定間隔で配置している。天井面に配置した複数の表示装置１０２は、通路を通る人から見て通路の奥行き方向に向けて見通すことができる。
【００４３】
火災が発生した場合には、放送制御装置１０からの放送開始制御信号を放送再生装置１２に送信することで、指向性スピーカ１４から避難経路となる通路Ｌを横切る指向方向に向けて、現在位置から避難口３２まで方向や距離を示す避難誘導放送を出力し、避難者は指向性スピーカ１４の前を横切る場合に、その放送内容を明瞭に聞くことができる。
【００４４】
また火災が発生した場合には、表示制御装置１００から表示制御信号を天井面に配列している複数の表示装置１０２へ送信し、避難場所の方向を示す動きを持たせた所定の誘導パターンを表示する。
【００４５】
［放送制御装置の構成］
図３はセンタ側に配置する放送制御装置１０の概略構成を示したブロック図である。
【００４６】
図３において、放送制御装置１０は、制御部１８、操作部１９、表示部２０、マイク２１、及び通信部２２を備え、図示しない予備電源付きの電源部から直流電源の供給を受けて動作する。制御部１８はプログラムの実行により実現する機能であり、ハードウェアとしては、ＣＰＵ、メモリ、各種の入出力ポート等をそなえたコンピュータ装置を使用する。
【００４７】
通信部２２は伝送路１５を介して図１に示した自動火災報知設備と通信接続し、火災信号を受信する。また、通信部２２は伝送路１１を介して図１に示した複数の放送再生装置１２に通信接続してその間で信号を送受信する。
【００４８】
制御部１８は、図１に示した自動火災報知設備１６からの火災信号の受信を検知した場合、または操作部１９による放送開始操作の受け付けを検知した場合、避難誘導を必要とする放送再生装置１２の全アドレスを指定する共通アドレスと放送開始コマンドを含む制御信号を送信する制御を行い、当該制御信号を受信した放送再生装置１２は、予め登録している音声データを読み出して避難誘導放送信号を再生し、指向性スピーカ１４からの避難誘導放送を出力させる。
【００４９】
また制御部１８は、自動火災報知設備１６から火災復旧信号の受信を検知した場合、又は操作部１９による放送停止操作を検知した場合、放送再生装置１２の共通アドレスと放送終了コマンドを含む制御信号を送信する制御を行い、当該制御信号を受信した放送再生装置１２は避難誘導放送の指向性スピーカ１４からの再生出力を停止させる。
【００５０】
［放送再生装置の構成］
図４は避難経路側に配置する放送再生装置の概略構成を示したブロック図である。図４において、放送再生装置１２は、再生制御部２４、通信部２６、音声記憶部２８、再生増幅部３０を備え、図示しない予備電源（バッテリー）付きの電源部からの直流電源の供給を受けて動作する。再生制御部２４はプログラムの実行により実現される機能であり、ハードウェアとしては、ＣＰＵ、メモリ、各種の入出力ポート等を備えたコンピュータ回路またはワイヤードロジック回路等を使用する。
【００５１】
通信部２６は、再生制御部２４の指示を受け、センタ側に配置した放送制御装置１０との間で信号を送受信する。音声記憶部２８には、指向性スピーカ１４の設置場所に対応した避難誘導放送の音声データを予め記憶している。この音声データは例えば避難口までの距離を示す放送内容の音声データとなる。基本的な音声データは次（１）〜（３）のようになる。
（１）  「避難口は直進してＸＸメートルです」
（２）  「避難口は右折してＸＸメートルです」
（３）  「避難口は左折してＸＸメートルです」
なお、「ＸＸ」は、指向性スピーカ１４の設置位置から避難場所となる避難口までの距離であり、スピーカ設置位置に対応した固有の距離を予め設定している。
【００５２】
また、廊下部分に設置した指向性スピーカ１４から出力する避難誘導放送の音声メッセージには、「避難口」又は「避難階段」との言葉を必ず含むようにし、避難者に避難口又は避難階段の近くに到達しつつあることを明快に理解させることができるようにする。
【００５３】
ここで、指向性スピーカ１４からの音が明瞭に聞こえる範囲は、スピーカが通路を横切って指向方向を示す中心線に対し、進行方向に向かい概ね前後１メートルとなる２メートル以内の範囲となる。この範囲を通過する時間は、避難者の移動速度を例えば４〜８メートル／秒程度とすると、概ね１〜２秒程度であり、その間に、聞き取れる内容となるように、音声データを決める。このためには音声データは可能な限り短くする必要があり、「直進」、「右折」、「左折」を除き、避難口までの距離を示す「避難口までＸＸメートル」とする音声データとしても良い。
【００５４】
音声増幅部３０は、再生制御部２４により音声記憶部２８の音声データから生成した避難誘導放送信号を入力して増幅し、指向性スピーカ１４から出力させる。
【００５５】
再生制御部２４は、通信部２６を介して放送制御装置１０からの制御信号の有効受信を検知した場合、制御信号の制御内容に基づき、避難誘導放送の再生開始と再生停止の制御を行う。
【００５６】
なお、「制御信号の有効受信」とは、受信した信号に含まれる共通アドレスを認識するか、または受信した信号に含まれる宛先アドレスがメモリに予め登録した自己アドレスに一致することを認識し、更に、信号内容としても異状が無いことを認識したことを意味する。以下、このような有効受信を含め、単に受信ということがある。
【００５７】
［表示制御装置の構成］
図５はセンタ側に配置する表示制御装置１００の概略構成を示したブロック図である。
【００５８】
図５において、表示制御装置１００は、制御部１０４、通信部１０６、操作部１０８及び表示部１１０を備え、図示しない予備電源付きの電源部から直流電源の供給を受けて動作する。制御部１０４はプログラムの実行により実現する機能であり、ハードウェアとしては、ＣＰＵ、メモリ、各種の入出力ポート等を備えたコンピュータ装置を使用する。
【００５９】
通信部１０６は伝送路１５を介して図１に示した自動火災報知設備１６と通信接続し、火災信号を受信する。また通信部１０６は伝送路１０１を介して図１に示した複数の表示装置１０２に通信接続して、その間で信号を送受信する。
【００６０】
制御部１０４は、図１に示した自動火災報知設備１６からの火災信号の受信を検知した場合、当該火災信号に含まれる火災発生場所を示す情報に基づき、メモリに予め記憶した建物の避難誘導経路情報から火災発生階の火災発生場所に対する安全な避難誘導経路とその方向を決定し、当該決定した避難誘導経路に沿って配列している複数の表示装置１０２を例えば避難方向に向けて順番に駆動する制御（光点走行制御）を繰り返し、避難方向を示す動きのある誘導パターンを表示させる。
【００６１】
制御部１０４による避難誘導経路とその方向の決定は、火災発生場所を起点に設定し、起点から避難口へ向う方向の避難誘導経路を決定し、決定した避難誘導経路に沿って配置している表示装置１０２のアドレスを取得し、基点から避難口に向けてアドレスを順番に並べた表示制御アドレスリストを生成し、この表示制御アドレスリストから順次読出して設定したアドレスをもつ表示制御信号を表示装置１０２へ送信する制御を繰り返し、複数の表示装置１０２を避難方向に向けて順番に表示駆動することで、避難方向を表示する。
【００６２】
例えば図２に示したように、避難口に向かう通路Ｌの天井面に沿って配置している複数の表示装置１０２を避難方向へ向けて順番に点滅動作し、これを繰り返すことで、避難者から見て光点が避難方向に向かって走行するように見える誘導パターンを表示する。
【００６３】
また制御部１０４は、火災発生階以外の階に設置した複数の表示装置１０２を、メモリに予め記憶した所定の避難誘導経路の避難方向に向けて順番に表示駆動する制御を繰り返して避難方向を表示させる。火災発生階以外の階の避難誘導については、火災発生場所を回避する必要がないことから、最適な避難誘導経路とその方向を予め定め、これに従って表示装置１０２の表示制御を行う。
【００６４】
また制御部１０４は、自動火災報知設備１６から火災復旧信号の受信を検知した場合、又は操作部１０８による表示停止操作を検知した場合、表示停止制御信号の送信する制御を行い、当該表示停止信号を受信した表示装置１０２で表示動作を停止させる。
【００６５】
ここで表示制御装置１００により複数の表示装置１０２を制御して行う誘導パターンの表示制御には次のものがある。
【００６６】
（１）  光点走行
前述したように、複数の表示装置１０２を避難方向に向けて順番に点滅する制御を繰り返す。この場合は、避難方向に向って光点が走行するように避難者に見える誘導パターンを表示する。
【００６７】
（２）  伸びる光の帯
複数の表示装置１０２を避難方向に向けて順番に点灯する制御を繰り返す。この場合は、避難方向に向かって光点が伸びて行くように避難者に見える誘導パターンを表示する。
【００６８】
（３）  光ラインと光点走行の組み合わせ
複数の表示装置１０２を一斉に点灯する制御と、一斉消灯した状態で避難方向に向けて順番に点滅する制御を交互に繰り返す。この場合は、複数の表示装置１０２の一斉点灯により、避難方向に向けて光点が連続する光のラインを表示し、これによって避難経路が分かる。続いて、一斉消灯した状態で複数の表示装置１０２を避難方向に向けて順番に点滅して光点が走行するように見える誘導パターンを表示する。
【００６９】
（４）  光ラインと伸びる光の帯の組み合わせ
複数の表示装置１０２を一斉に点灯する制御と、一斉消灯した状態で避難方向に向けて順番に点灯する制御を交互に繰り返す。この場合は、複数の表示装置１０２の一斉点灯により、避難方向に向けて光点が連続する光のラインを表示し、これによって避難経路が分かる。続いて、一斉消灯した状態で複数の表示装置１０２を避難方向に向けて順番に点灯して光の帯が避難方向に伸びて行くように見える避難パターンを表示する。
【００７０】
（５）  暗点の走行
複数の表示装置１０２を一斉点灯して光ラインを表示した状態で、避難方向に向けて順番に点滅する制御を繰り返す。この場合は、一斉点灯による光ラインが避難方向に向けて順番に点滅することにより、消灯による暗点が避難方向に走行するように見える誘導パターンを表示する。
【００７１】
（６）  縮む光の帯
複数の表示装置１０２を一斉点灯して光のラインを表示した状態で、避難方向に向けて順番に消灯する制御を繰り返す。この場合は、一斉点灯により表示した光ラインが、沿って順番に消灯して行くことにより、光の帯が避難方向に向かって縮んで行くように見える誘導パターンを表示する。
【００７２】
表示制御装置１００は、（１）〜（５）のいずれかの表示制御、更にはその組み合わせによる表示制御を行って、複数の表示装置１０２により避難方向を示す動きのある誘導パターンを表示し、これを見た避難者は、避難方向を直感的に把握することを可能とする。
【００７３】
［表示装置の構成］
図６は表示装置の概略構成を示したブロック図である。図６において、表示装置１０２は、通信部１１２、表示制御部１１４、表示駆動部１１６、表示灯１１８を備え、図示しない予備電源（バッテリー）付きの電源部からの直流電源の供給を受けて動作する。表示制御部１１４はプログラムの実行により実現される機能であり、ハードウェアとしては、ＣＰＵ、メモリ、各種の入出力ポート等を備えたコンピュータ回路またはワイヤードロジック回路等を使用する。
【００７４】
通信部１１２は、表示制御部１１４の指示を受け、センタ側に配置した表示制御装置１００との間で信号を送受信する。
【００７５】
表示制御部１１４は、通信部１１２を介して表示制御装置１００からの自己のアドレスを指定した表示制御信号の有効受信を判別した場合に、表示駆動部１１６に表示駆動信号を出力して表示灯１１８を点灯させる。
【００７６】
表示灯１１８としては例えば白色ＬＥＤが使用され、装置カバーのトップなどの外部から見え易い位置に配置している。
【００７７】
ここで、表示装置１０２により誘導パターンを表示する場合には、表示灯１１８を閃光灯として駆動することで、強力な光を出すようにする。
【００７８】
表示灯１１８の駆動には点滅駆動と点灯駆動がある。表示灯１１８を点滅駆動する場合、表示制御部１１４から表示駆動信号を受けた表示駆動部１１６は、予め定めた短い所定時間、表示灯１１８を概ね最大発光量となるようにパルス的に駆動して閃光を出力させる。
【００７９】
また表示灯１１８を点灯駆動する場合、表示制御部１１４から表示駆動信号を受けた表示駆動部１１６は、予め定めた短い所定時間、表示灯１１８を概ね最大発光量となるようにパルス的に駆動して閃光を出力させた後に、最大発光量より低い所定の発光量となるように点灯駆動する、高低２段階の発光出力を行う。
【００８０】
このように表示灯１１８は点滅又は点灯のいずれにおいても、閃光を出力するように駆動することで、前述した光点の走行や伸びる光の帯といった誘導パターンの表示における視認性を高める。
【００８１】
また複数の表示装置１０２を一斉点灯して光ラインを表示する場合、表示駆動部１１６は、所定の発光量となるように表示灯１１８を点灯駆動するが、この場合にも、表示駆動部１１６は所定時間間隔で所定の最大発光量とそれより低い所定の発光量との間で高低２段階に変化させるように表示灯１１８を明滅駆動することで、視認性を高めるようにしても良い。
【００８２】
［避難誘導制御］
本発明の避難誘導システムにおける避難誘導制御を具体的に説明すると次のようになる。
（基本的な避難誘導制御）
図７は避難誘導対象領域としてビルのフロアの一部を示しており、通路Ｌ１〜Ｌ３は直進して通路Ｌ４に繋がり、通路Ｌ４の両側に避難口３２ａ，３２ｂがある。
【００８３】
通路Ｌ１〜Ｌ４には、例えば５メートル間隔で指向性スピーカ１４−１１〜１４−４６を配置し、また通路Ｌ１〜Ｌ４の天井面には、例えば２．５メートル間隔で表示装置１０２−１１〜１０２−４１３を配置している。以下、指向性スピーカ１４−１〜１４−４をそれぞれ区別せず総称する場合は指向性スピーカ１４といい、表示装置１０２−１１〜１０２−４１３をそれぞれ区別せずに総称する場合は表示装置１０２という。また破線の矢印は指向性スピーカ１４の指向方向を示す。
【００８４】
火災が発生した場合、通路Ｌ１〜Ｌ４に沿って配置した指向性スピーカ１４からは避難口３２ａ，３２ｂまで距離を示す避難誘導放送を図示の吹き出しに示すように出力する。
【００８５】
例えば通路Ｌ１を通って避難口３２ａに向かう避難者は指向性スピーカ１４−１１、１４−１２，１４−４１の前を通過する毎に、
「避難口は左折して１５メートルです」
「避難口は左折して１０メートルです」
「避難口は直進して１０メートルです」
「避難口は直進して５メートルです」
となる避難誘導放送を順番に聞くことができ、避難口３２ａまでの距離を知りながら避難することができる。
【００８６】
また火災が発生した場合、通路Ｌ１〜Ｌ４の天井面に沿って配置した表示装置１０２は、避難口３２ａ，３２ｂへ向かう方向を示す動きのある誘導バターンを表示する。
【００８７】
例えば通路Ｌ１に配置した表示装置１０２−１１〜１０２−１５を、例えば矢印ａ１で示す方向に順番に表示駆動し、矢印ａ１の方向に光点が走行するように避難者に見える誘導パターンを表示する。また避難口３２ａに向かう通路Ｌ４に配置した表示装置１０２−４１〜１０２−４５を、避難口３２ａに向かう矢印ａ４で示す方向に順番に表示駆動し、それぞれ避難方向に向けて光点が走行するように避難者に見える誘導パターンを表示する。他の表示装置１０２については、矢印ａ２，ａ３，ａ５に示す方向に順番に表示駆動し、同様に、それぞれ避難方向に向けて光点が走行するように避難者に見える誘導パターンを表示する。
【００８８】
このため、避難者は複数の表示装置１０２の表示駆動により光点が避難方向に走行するように見える誘導パターンを見て避難方向を知り、また指向性スピーカ１４の前を通過する場合に、避難誘導放送を聞いて避難口までの距離を知り、特に照明が消えて非常灯に切り替わって暗くなっている状況や、煙により視界が効きにくい状況であっても、避難口３２の方向とそこまでの距離が分かることで、パニックに陥ることなく冷静さを保った避難行動が可能となる。
【００８９】
（避難口の変更に伴う避難誘導制御）
放送制御装置１０は、火災の拡大或いは特定の避難口への避難者の集中を判断した操作者によるセンタ側の操作に基づき、放送内容を変更する制御信号を放送再生装置１２に送信し、放送内容を変更させる制御を行う。
【００９０】
例えば図７に示したように、最初、避難口３２ｂへ誘導する避難誘導放送を行っていた通路Ｌ２の指向性スピーカ１４−２１，１４−２２について、途中で誘導先を避難口３２ｂから避難口３２ａに切り替える操作を行った場合、これに伴い指向性スピーカ１４−２１，１４−２２からの避難誘導放送の内容を、切り替えた避難口３２ａの方向とそこまでの距離を示す放送内容に変更して出力する。
【００９１】
このような放送制御装置１０が避難誘導放送の変更制御を行った場合、放送制御装置１０は伝送路１５を介して表示制御装置１００へ避難経路の変更を示す制御信号を出力し、これを受信した表示制御装置１００は、変更した避難経路に対応した避難方向を示す誘導パターンを表示するように表示装置１０２に表示制御信号を送信し、誘導パターンを変更する。
【００９２】
（エレベータを使用禁止とする避難誘導制御）
エレベータを配置している避難経路となる通路に設置した放送再生装置１２は、放送制御装置１０から避難誘導放送を開始する制御信号を受信した場合、指向性スピーカ１４から例えば「エレベータは使用できません」を含む避難誘導放送を出力する。このため火災が発生した場合に運転を停止しているエレベータに避難者が殺到して混乱を起こすことを未然に防止可能とする。
【００９３】
（火災発生場所の通行を禁止する避難誘導制御）
放送制御装置１０は、火災が発生した場所の近くを通る通路に配置している指向性スピーカ１４から「火災が発生しています  通行を禁止します」といった避難誘導放送を出力するように制御する。このため火災の発生場所またはその近くを通るような危険を伴う避難行動を未然に防止し、安全な経路を通って避難口へ案内することを可能とする。
【００９４】
この場合、表示制御装置１００は、火災が発生した場所の近くを通る通路に配置している複数の表示装置１０２に対し、火災発生場所から離れる方向を避難方向とするように誘導パターンを表示する制御を行う。
【００９５】
（救助隊を誘導する制御）
放送制御装置１０は、避難対象領域からの避難完了を示す操作を検知した場合、消防機関等から要請を受けた担当者によるセンタ側の操作に基づき救助隊の誘導放送制御を行う。
【００９６】
この放送制御装置１０による救助隊の誘導放送制御は、火災の発生場所に通じる通路に設置した指向性スピーカ１４から、火災現場までの距離を示す誘導放送として例えば「火災現場は直進した１０メートル先です」といった誘導放送を行う。
【００９７】
また表示制御装置１００は、放送制御装置１０から救助隊の誘導放送制御の制御信号を、伝送路１５を介して受信した場合、火災の発生場所に通じる通路に設置した表示装置１０２へ表示制御信号を送信し、火災発生場所へ向かう方向を誘導方向とする誘導パターンを表示させる制御を行う。
【００９８】
このため避難口などから火災発生階に入った救助隊員は、指向性スピーカ１４の放送を聞いて火災現場までの距離を知ると共に表示装置１０２の誘導パターンから火災現場の方向を知り、適確な救助活動を安全に行うことを可能とする。
【００９９】
このように火災現場に近い場所では、火災による煙が充満して視界はほとんど聞かず、また救助隊員は空気ボンベや耐火服を装備して行動しており、指向性スピーカ１４による誘導放送と表示装置１０２による誘導表示があることで、現場の状況を適確に判断した行動を可能とする。
【０１００】
（避難誘導訓練の制御）
放送制御装置１０は、定期的に避難誘導訓練放送の制御を行う。放送制御装置１０は、例えば毎月の第１月曜日の正午から例えば３０分間を避難誘導訓練放送の放送時間帯に設定しており、この時間帯に放送再生装置１２へ訓練放送制御信号を送信し、指向性スピーカ１４から間欠的に避難誘導訓練放送を出力する。
【０１０１】
また表示制御装置１００は、放送制御装置１０から避難誘導訓練放送の制御信号を伝送路１５を介して受信した場合、通路に配置した表示装置１０２へ表示制御信号を送信し、避難方向を示す誘導パターンを表示させる制御を行う。
【０１０２】
これにより例えば避難誘導対象領域がオフィスビルのフロアであれば、勤務している人が昼休みに通路の指向性スピーカ１４の前を通る場合に、避難誘導訓練放送を聞き、また表示装置１０２の誘導パターンを見ることで、現在位置から避難口までの距離と避難方向を知り、これが火災が発生した場合の避難行動の訓練となる。
【０１０３】
また特定の月日の特定の時間帯で行う避難誘導訓練放送と誘導パターン表示は、避難誘導対象領域に出入りする全ての人が体験することにはならないが、その中の一部の人であっても避難誘導訓練放送と誘導パターン表示を体験していれば、火災が発生した場合に指導的な立場で率先して適切な避難行動をとることを可能とし、避難誘導訓練放送と誘導パターン表示による成果を十分生かすことが可能となる。
【０１０４】
［表示装置の他の配置］
図８は本発明の他の実施形態であり、避難経路となる通路Ｌの床面に沿って複数の表示装置１０２を所定間隔で配置したことを特徴とする。なお、指向性スピーカ１４は、図２と同様に、避難経路となる通路Ｌの側壁面に沿って配置している。
【０１０５】
このように床面に表示装置１０２を設置した場合には、表示装置本体を床面に埋込設置し、その上面を透明又は半透明なカバーで覆う構造となり、設置スペースに十分な余裕があり、また表示装置１０２に対する配線が床下からできるため設置工事も容易になる。
【０１０６】
更に、火災による煙は天井側から滞留してくることから、床面側に表示装置１０２を配置していることで、避難経路に煙が流れ込んできても、避難方向を示す誘導パターンの視認性を確保することが可能となる。
【０１０７】
［指向性スピーカの他の配置］
図２及び図８にあっては、避難経路に沿った側壁面に指向性スピーカ１４を所定間隔で配置しているが、これ以外に、避難経路となる通路の床面や天井に指向性スピーカを設置し、その指向方向を上又は下になるようにしても良い。
【０１０８】
また、指向性スピーカを通路の側壁面上部の両側に配置し、それぞれの指向方向を斜め下向きとし、通路空間をクロスするようにしても良い。なお、この場合、２台の指向性スピーカに対し同じ放送再生装置の出力を接続し、同じ避難誘導放送を流すようにする。
【０１０９】
更に、壁面下側に、それぞれの指向方向が水平方向及び斜め上方向となるように複数の指向性スピーカを一箇所にまとめて配置し、これにより避難者が通過する通路の断面全体をカバーする構成とすることで、通路を通過する全ての人が、天井に滞留する煙を避けるために姿勢を低くして避難する場合など、どのような姿勢で通過しても確実に避難誘導放送を聞こえるようにしても良い。
【０１１０】
このような指向性スピーカの配置により、通路の中央、左右いずれの位置を通る場合にも明瞭に避難誘導放送を聞くことができるようにする。また本発明における指向性スピーカの設置による指向方向は、避難経路となる通路と交差するものであれば、上記の配置に限定されず、適宜の配置とすることができる。
【０１１１】
［避難階段への設置］
（避難階段の避難誘導放送と避難方向表示）
本発明の避難誘導システムは、避難階段に設置しても良い。オフィスビルなどの避難階段は例えば建物の避難階となる屋上に出ることができ、避難階段を上りきった位置には避難階となる屋上に通じる避難口となる避難扉を設置している。この避難経路となる避難階段の側壁には所定間隔で指向性スピーカ１４を設置すると共に、同じく側壁の高い位置等に所定間隔で表示装置１０２を配置する。
【０１１２】
火災が発生した場合、指向性スピーカ１４からは避難誘導放送を行い、また複数の表示装置１０２は表示制御による避難方向を示す動きのある誘導パターンを表示する。この避難誘導放送を聞くと共に誘導パターンの表示を見ることで、避難者は避難階段を通って例えば屋上に安全に避難することを可能とする。
【０１１３】
また、避難階となる１階の避難口に通じる避難階段については、屋上が避難階となる場合と同様に、避難階段の側壁に所定間隔で指向性スピーカ１４を設置すると共に、同じく側壁の高い位置等に所定間隔で表示装置１０２を配置し、火災が発生した場合、指向性スピーカ１４からは避難誘導放送を行い、また複数の表示装置１０２は表示制御による避難方向を示す動きのある誘導パターンを表示する。
【０１１４】
更に、非常階段に設置した指向性スピーカ１４から出力する避難誘導放送の音声メッセージには、「避難階」の言葉を必ず含むようにし、避難者が避難口の近くに到達したことを理解できるようにする。
【０１１５】
（避難階段に固有な音声内容）
避難階段に指向性スピーカ１４を設けて避難誘導放送を行う場合、隣接する階のメッセージに使用する音声は、主な周波数成分を変えるか、或いは、母音が同じ発音となる隣接する階については、何れか一方または両方の階を示す音声を出力しないようにする。
【０１１６】
例えば「ここは１階です  避難階は５階です」と「ここは２階です  避難階は５階です」の場合、「１階」と「２階」の母音は「―いー」階と発音が類似している。そこで、階を示す放送部分は、例えば偶数階だけとし、避難者が明瞭に聞き分けることができるようにする。即ち、２階（偶数階）の放送内容は「ここは２階です  避難階は５階です」とし、１階（奇数階）の放送内容は「避難階は５階です」とする。
【０１１７】
［非常放送設備との連携］
図９は本発明による避難誘導システムの他の実施形態の概略構成を示した説明図であり、非常放送設備と連携したことを特徴とする。
【０１１８】
図９において、本実施形態の避難誘導システムは、図１の実施形態と同様に、放送制御装置１０、放送再生装置１２、指向性スピーカ１４、表示制御装置１００及び複数の表示装置１０２で構成し、放送制御装置１０及び表示制御装置１００には伝送路１５により自動火災報知設備１６の受信機などを接続して火災信号を受信する。
【０１１９】
これに加え本実施形態にあっては、放送制御装置１０には伝送路２０１により非常放送設備２００を接続し、放送移報信号を受信する。
【０１２０】
非常放送設備２００においては、その技術基準により、火災感知器が発報した場合又はこれに準ずる情報を入手した場合に行う感知器発報放送のメッセージは女声によるものとしている。感知器発報放送のメッセージの内容としては、例えば「ただいま  ２階の火災感知器が作動しました  係員が確認しておりますので  次の放送にご注意ください」とする。
【０１２１】
また、非常放送設備２００の技術基準では、火災の発生が確認された場合又はこれに準ずる情報を入手した場合に行う火災放送のメッセージは男声によるものとしている。火災放送のメッセージの内容としては、例えば「火事です  火事です  ２階で火災が発生しました  落ち着いて避難してください」とする。実際の感知器発報放送および火災放送においては、それぞれのメッセージを、シグナル音やスイープ音と組み合わせて放送する。
【０１２２】
このような非常放送設備２００による感知器発報放送および火災放送は、本発明の避難誘導システムの指向性スピーカ１４及び表示装置１０２を配置した避難誘導対象となる例えばビルの各階の避難経路となる廊下や階段に対しても行われ、指向性スピーカ１４からの避難誘導放送と重複し、避難誘導放送が聞き分けづらくなる場合がある。
【０１２３】
そこで本実施形態にあっては、放送制御装置１０は、例えば操作部による放送開始操作の受け付けを検知したときに、非常放送設備２００から伝送路２０１により女声メッセージによる感知器発報放送を示す放送移報信号を受信していた場合、放送再生装置１２の全アドレス指定を意味する共通アドレス、放送開始コマンド、男声メッセージを指定する男声コマンドを含む制御信号を送信する制御を行い、放送再生装置１２に予め登録している男声の音声データを読み出して避難誘導放送信号を再生し、指向性スピーカ１４からの男声の避難誘導放送を出力させる。
【０１２４】
また、放送制御装置１０は、避難誘導放送中に、非常放送設備２００が感知器発報放送から火災放送に切り替わり、伝送路２０１を介して男声メッセージによる火災放送を示す放送移報信号を受信した場合、放送再生装置１２の全アドレス指定を意味する共通アドレス、放送開始コマンド、女声メッセージを指定する女声コマンドを含む制御信号を送信する制御を行い、放送再生装置１２に予め登録している女声の音声データを読み出して避難誘導放送信号を再生し、指向性スピーカ１４からの女声の避難誘導放送を出力させる。
【０１２５】
このため、非常放送設備２００から女声による感知器発報放送が行われている場合は、指向性スピーカ１４から男声による避難誘導放送が行われ、また非常放送設備２００から男声による火災放送が行われている場合は、指向性スピーカ１４から女声による避難誘導放送が行われ、避難者は指向性スピーカ１４からの避難誘導放送を明瞭に聞き分けることができる。ここで、男声の周波数帯域は５００Ｈｚ付近となり、一方、女声の周波数帯域は例えば８００Ｈｚ付近となり、周波数的にも両者を明瞭に聞き分けることができる。
【０１２６】
［本発明の変形例］
（センタ側装置）
上記の実施形態にあっては、センタ側に放送制御装置と表示制御装置を別の装置として設けているが、両者を一つの装置とし、誘導放送装置の機能と表示制御装置の機能を持たせるようにしても良い。
【０１２７】
（２色表示）
上記の実施形態は、表示装置の表示灯として白色ＬＥＤを使用することで表示色を１色としているが、例えば、白の表示装置と赤の表示装置を組み合わせた２色表示としても良い。この場合の赤の表示装置は、表示灯の表示カバーを透光性の着色カバーとすれば良い。表示装置の２色表示は、白の表示装置と赤の表示装置を交互に配置しても良いし、所定間隔ごとに赤の表示装置とすることで、距離を示す指標としていても良い。また避難口から例えば１０メートルの範囲に設置している表示装置を赤の表示装置とし、避難口に近いことを表示するようにしても良い。
【０１２８】
（誘導灯）
また、避難口に設置している誘導灯にスピーカを設け、自動火災報知設備と連動して音声と光点点滅で避難方向を知らせるようにしている場合については、この誘導灯のスピーカを、指向性スピーカとしても良い。この場合、誘導灯の指向性スピーカからは例えば「避難口はこちらです」といった音声メッセージを、シグナル音やスイープ音と組み合わせて繰り返し出力する。
【０１２９】
（火災以外の避難誘導）
上記の実施形態は、火災が発生した場合の避難誘導放送を例にとるものであったが、これ以外に地震などの災害が発生した場合の避難誘導放送についても同様に適用できる。
【０１３０】
（建物以外の用途）
また避難誘導システムはビルや集合住宅などの建物に限定されず、多くの人の出入りする適宜の施設や場所に適用できる。
【０１３１】
（その他）
避難誘導放送及び誘導パターン表示は、火災発生場所に応じて、避難する優先度が高い区域の指向性スピーカからのみ避難誘導放送を行うと共にそこに配置した複数の表示装置を駆動して誘導パターンを表示し、火災の拡大状況に応じて避難誘導放送及び誘導パターン表示を行う地区を変化させるようにしてもよい。
【０１３２】
表示装置１０２の駆動制御の方法は上記の実施形態に限らず、表示制御装置１００からの伝送信号を送出して表示装置１０２毎に駆動遅延時間を設定し、表示制御装置１００からの駆動同期信号を表示装置に一斉に送出し、各表示装置が自己に設定された駆動遅延時間だけ遅らせて表示することで、表示避難場所に向かうように避難誘導を行う様にしても良い。
【０１３３】
また本発明はその目的と利点を損なうことにない適宜の変形を含み、また上記の実施形態に示した数値による限定は受けない。
【符号の説明】
【０１３４】
１０：放送制御装置
１１，１５，１０１，２０１：伝送路
１２：放送再生装置
１４，１４−１〜１４−６，１４−１１〜１４−４６：指向性スピーカ
１６：自動火災報知設備
１８，１０４：制御部
１９，１０８：操作部
２０，１１０：表示部
２１：マイク
２２，２６，１０６，１１２：通信部
２４：再生制御部
２８：音声記憶部
３０：再生増幅部
３２，３２ａ，３２ｂ：避難口
１００：表示制御装置
１０２，１０２−１１〜１０２−４１３：表示装置
１１４：表示制御部
１１６：表示駆動部
１１８：表示灯
２００：非常放送設備
【図１】
0006485994.tif 000002
【図２】
0006485994.tif 000003
【図３】
0006485994.tif 000004
【図４】
0006485994.tif 000005
【図５】
0006485994.tif 000006
【図６】
0006485994.tif 000007
【図７】
0006485994.tif 000008
【図８】
0006485994.tif 000009
【図９】
0006485994.tif 000010